(57)【要約】      （修正有）【課題】回路基板の外装ケースへのアースを確実にする。【解決手段】回路基板と、回路基板が内部に装着される外装ケースと、外装ケースのそれぞれの開口部分を覆うケース蓋２２ａとを備え、外装ケースは、内部に装着される回路基板を支持し回路基板と電気的に接続される支持フレームが略格子状に配置され、ケース蓋２２ａのアース用係合凸部２５と、ケース枠における支持フレーム２３のアース用係合孔２４とが互いに対向した位置に設けられているため、ケース枠に対してケース蓋２２ａを組み付けると、アース用係合孔２４とアース用係合凸部２５とが確実に係止される。【選択図】  図３
2004303933.tif 000002
【特許請求の範囲】
【請求項１】
回路基板と、
上記回路基板が内部に装着される外装ケースと、
上記外装ケースのそれぞれの開口部分を覆うケース蓋とを備え、
上記外装ケースは、内部に装着される上記回路基板を支持し該回路基板と電気的に接続される支持フレームが略格子状に配置され、
上記回路基板を上記外装ケース内に装着し上記外装ケースに対して上記ケース蓋部を固定すると、上記支持フレーム上でアース用係合凸部が上記アース用係合孔に挿入係合されることを特徴とする電子機器。
【請求項２】
上記アース用係合孔の直径サイズは、上記アース用係合凸部の直径サイズより小であることを特徴とする請求項１記載の回路ボックス。
【請求項３】
上記支持フレームは、所定位置にアース用係合孔を有し上記ケース蓋の一方が該支持フレームの係合孔に対向する位置に外装ケース内側方向に凸状となったアース用係合凸部を有すことを特徴とする請求項１乃至２に記載の電子機器。
【請求項４】
上記支持フレームは、所定位置に外装ケースの外側方向に凸状となったアース用係合凸部を有し、上記ケース蓋の一方が該支持フレームの係合凸部に対向する位置にアース用係合孔を有すことを特徴とする請求項１乃至２に記載の電子機器。
【発明の詳細な説明】
【０００１】
【発明の属する技術分野】
本発明は、電子機器に関し、特に、回路基板を保護する外装ケースに対して該回路基板のアースを行う電子機器に関する。
【０００２】
【従来の技術】
従来、テレビジョン信号或いは衛星放送信号用の受信用チューナ回路等では、回路基板を覆った金属製の外装ケース（保護ケース）に回路基板のアース端子を接続して回路のアースをとっている。金属製の外装ケースに回路基板のアース端子を接続する手法としては、外装ケースの一部にアース引出部やアース用凸部を設ける手法が一般的である。
【０００３】
図４乃至図６に、従来の回路ボックスの一例を示す。従来の回路ボックス１００は、図４には、従来の回路ボックスの外観が示されている。また、図６には、回路ボックス１００のケース蓋と支持フレームとの接点を説明する図が示されている。
【０００４】
従来の電子機器１００は、放送信号受信用の回路基板１１０が該回路基板を保護する保護ケース１２０によって覆われている。
【０００５】
回路基板１１０は、コネクタ１１１、接続ピン１１２等を有しており、これらは後述する保護ケースの開口部分から外部に露呈され、接続ケーブルや機器内部の他の回路に接続される。
【０００６】
保護ケース１２０は、回路基板１１０が内部に装着されるケース枠１２１と、ケース枠１２１のそれぞれの開口部分を覆うケース蓋１２２ａ，１２２ｂとからなる。ケース枠１２１の各側面には、回路基板１１０のコネクタ１１１、接続ピン１１２等を外部に露呈するための開口部分が設けられている。
【０００７】
アース引出部１２６は、図４に示すように、例えば、ケース蓋１２２ａの所定箇所に形成されている。このアース引出部１２６が形成される位置は、回路基板１１０上のアース端子の引出位置に対応している。
【０００８】
アース引出部１２６は、一部を残してケース蓋１２２ａから型抜きされたもので、切り離された部分を電子機器内部に若干折り込むことにより、ケース蓋の剛性を弾性力とした「アースバネ」を形成している。ケース蓋１２２ａを回路基板１１０が装着されたケース枠に固定する際に、この内部に折り込まれたアースバネが回路基板のアース端子と接触するようになっている。
【０００９】
【発明が解決しようとする課題】
ところが、外装ケースの一部にアース引出部１２６を設ける方法は、引き出したケース枠の一部であるアース端子の形状によっては、この引出部１２６がアンテナの役割を果たし、回路基板内に妨害波が引き込まれることがある。回路基板１１０がチューナ回路等であれば、妨害波による干渉を受けることは重大な障害となる。
【００１０】
また、アース用凸部１２５を設けてこれを回路基板１１０のアース端子とケース枠１２１との接点とする方法では、図６に示すように、回路基板１１０とケース枠１２１との接地面積が狭い（点接触である）ため、ケース蓋１２２ａがケース枠１２１に固定されているにしても、ケース蓋１２２ａと回路基板１１０との成形精度、組み付け精度等によっては、内部では接触していなかったり、また振動や衝撃により浮きができて接触するときとしないときとができたりと、アースがとれない場合があった。
【００１１】
そこで本発明は、上述のような課題に鑑みてなされたものであり、回路基板のアースを確実にする電子機器を提供することを目的とする。
【００１２】
【課題を解決するための手段】
上述の目的を達成するために、本発明に係る電子機器は、回路基板と、回路基板が内部に装着される外装ケースと、外装ケースのそれぞれの開口部分を覆うケース蓋とを備え、外装ケースは、内部に装着される回路基板を支持し該回路基板と電気的に接続される支持フレームが格子状に配置され、回路基板を外装ケース内に装着し外装ケースに対してケース蓋を固定すると、支持フレーム上でアース用係合凸部がアース用係合孔に挿入係合されることを特徴とする。
【００１３】
また、アース用係合孔の直径サイズは、アース用係合凸部の直径サイズより小であることが好ましい。
【００１４】
【発明の実施の形態】
以下、本発明の具体例を図面を用いて詳細に説明する。
【００１５】
本発明の具体例として図１及び図２に示す電子機器１は、テレビジョン信号、若しくは衛星放送信号を受信するための受信用チューナ回路であって、放送信号受信用の回路基板１０が該回路基板を保護する保護ケース２０によって覆われている。図１には、回路ボックス１の上面図が示されている。また、図２には、回路ボックス１の上面のケース蓋を取り外した状態が示されている。
【００１６】
回路基板１０は、コネクタ１１、接続ピン１２等を有しており、これらは後述する保護ケースの開口部分から外部に露呈され、接続ケーブルや機器内部の他の回路に接続される。
【００１７】
保護ケース２０は、長辺と短辺とが回路基板１０と略同長の両開口箱型形状であって、回路基板１０が内部に装着されるケース枠２１と、回路基板１０が装着されたケース枠２１のそれぞれの開口部分を覆うケース蓋２２ａ，２２ｂとからなる。ケース枠２１の各側面には、回路基板１０のコネクタ１１、接続ピン１２等を外部に露呈するための開口部分が設けられている。ここで、ケース枠２１、ケース蓋２２ａ，２２ｂは、導電性材料からなる。
【００１８】
ケース枠２１は、回路基板１０を支持する支持フレーム２３を有する。本具体例では、支持フレーム上の所定位置にアース用係合孔２４が設けられている。また、ケース蓋２２ａは、回路基板１０のアースをとるためのアース用係合凸部２５、アース引出部２６を有している。アース用係合凸部２５は、ケース枠の内側に凸状となっており、このアース用係合凸部２５の設置位置は、支持フレーム２３のアース用係合孔２４に対向する位置である。
【００１９】
また、アース引出部２６は、一部を残してケース蓋２２ａから型抜きされた部分であり、切り離された部分を電子機器内部に若干折り込むことにより、ケース蓋材料の剛性を弾性力としたアースバネを形成している。ケース蓋２２ａを回路基板１０が装着されたケース枠２１に固定する際に、この内部に折り込まれたアースバネが回路基板１０上のアース端子と接触するようになっている。
【００２０】
図３には、ケース枠２１に回路基板１０が装着された状態でケース蓋２２ａが付けられた場合の接点を説明する図が示されている。ケース蓋２２ａのアース用係合凸部２５と、ケース枠２１における支持フレーム２３のアース用係合孔２４とは、互いに対向した位置に設けられているため、ケース枠２１に対してケース蓋２２ａを組み付けると、図３（ａ）のように、アース用係合孔２４とアース用係合凸部２５との接地面積が広がり、確実に係止される。
【００２１】
このとき、アース用係合孔２４の直径サイズは、アース用係合凸部２５の直径サイズより小であることが好ましい。
【００２２】
また、図３（ｂ）に示すように、アース用係合孔２４、アース用係合凸部２５の関係は、逆であってもよい。すなわち、支持フレーム２３に対してアース用係合凸部２４′を設け、ケース蓋２２ａに対してアース用係合孔２５′を設けてもよい。
【００２３】
【発明の効果】
以上詳細に説明したように、本発明に係る電子機器によれば、回路基板を外装ケース内に装着し外装ケースに対してケース蓋を固定すると、アース用係合凸部がアース用係合孔に挿入係合されることにより、回路基板と外装ケースとが電気的に接続され、回路基板の外装ケースへのアースを確実にすることができる。
【図面の簡単な説明】
【図１】本発明の具体例として示す回路ボックスの外観を説明する上面図である。
【図２】上記回路ボックスの上面のケース蓋を取り外した状態を説明する上面図である。
【図３】（ａ）は、上記図２に示す回路ボックスにおける要部を拡大して示す拡大断面図であり、（ｂ）は、本具体例の別の実現例を示す拡大断面図である。
【図４】従来の回路ボックスの外観を説明する上面図である。
【図５】従来の回路ボックスの上面のケース蓋を取り外した状態を説明する上面図である。
【図６】（ａ）は、上記図５に示す回路ボックスにおける要部を拡大して示す拡大断面図である。
【符号の説明】
１        回路ボックス
１０      回路基板
１１      コネクタ
１２      接続ピン
２０      保護ケース
２１      ケース枠
２２ａ    ケース蓋
２２ｂ    ケース蓋
２３      支持フレーム
２４      アース用係合孔
２５      アース用係合凸部
２６      アース引出部
【図１】
2004303933.tif 000003
【図２】
2004303933.tif 000004
【図３】
2004303933.tif 000005
【図４】
2004303933.tif 000006
【図５】
2004303933.tif 000007
【図６】
2004303933.tif 000008